【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
光子（１１２）の伝送（１１９）を管理する方法であって：
液体（１０４）の複数の特徴（１３４）を利用して、ビーム状（１１５）の光子（１１２）を液体（１０４）中に伝送（１１９）するための複数のパラメータ（１３０）を特定して複数の選択パラメータ（１３６）を形成し；
複数の選択パラメータ（１３６）を使用して、ビーム（１１５）状の光子（１１２）を対象物（１２０）まで液体（１０４）中に伝送（１１９）して光子（１１２）の伝送（１１９）を形成する
ことを含む方法。
【請求項２】
複数の選択パラメータ（１３６）を使用してビーム（１１５）状の光子（１１２）を対象物（１２０）まで液体（１０４）中に伝送（１１９）するステップが：
複数の選択パラメータ（１３６）を使用して、ビーム（１１５）の経路（１１７）に沿って液体（１０４）の複数の特徴（１３４）を変化させ、
経路（１１７）に沿ってビーム（１１５）を伝送（１１９）する
ことを含む、請求項１に記載の方法。
【請求項３】
複数の選択パラメータ（１３６）を使用してビーム（１１５）状の光子（１１２）を対象物（１２０）まで液体（１０４）中に伝送（１１９）するステップが：
複数の現在のパラメータ（１３５）から複数の選択パラメータ（１３６）へ光子（１１２）の液体（１０４）中の伝送（１１９）を修正する
ことを含む、請求項１に記載の方法。
【請求項４】
複数の選択パラメータ（１３６）を使用して、ビーム（１１５）の経路（１１７）に沿って液体（１０４）の複数の特徴（１３４）を変化させるステップが：
電磁場、レーザー、無線周波電磁界、Ｘ線、気泡、導管、熱、圧力、塩分、導波管、光ファイバー、イオン化粒子、エネルギー力、有機飽和吸収体のうちの少なくとも一つから選択されたエフェクタ（２２２）を使用して、複数の選択パラメータ（１３６）を使用して、ビーム（１１５）の経路（１１７）に沿って液体（１０４）の複数の特徴（１３４）を変化させる
ことを含む、請求項２に記載の方法。
【請求項５】
複数の選択パラメータ（１３６）を使用してビーム状（１１５）の光子（１１２）を対象物（１２０）まで液体（１０４）中に伝送（１１９）するステップが：
ビーム（１１５）の複数の特性（１３２）を設定する
ことをさらに含む、請求項２に記載の方法。
【請求項６】
ビーム（１１５）の複数の特性（１３２）を設定するステップが：
ビーム（１１５）の複数の特性が（１３２）、方向、焦点、電力、傾き、傾斜角度、位相、波長、振幅、開口サイズ、及び波面のうちの少なくとも一つから選択される、ビーム（１１５）の複数の特性（１３２）を設定する
ことを含む、請求項５に記載の方法。
【請求項７】
初期ビーム（１４１）状の初期光子（１３９）を対象物（１２０）まで液体（１０４）中に伝送（１１９）して、初期伝送（１３７）を形成し；
初期伝送（１３７）に応じて液体（１０４）の複数の特徴（１３４）を特定する
ことをさらに含む、請求項１、２、５または６に記載の方法。
【請求項８】
伝送（１１９）に応じて、液体（１０４）の複数の特徴（１３４）を特定するステップが：
ビーム（１１５）状の光子（１１２）の屈折、反射、後方散乱、及びホログラフィック画像のうちの少なくとも一つを検出して応答を形成し、
前記応答から液体（１０４）の複数の特徴（１３４）を特定する
ことを含む、請求項７に記載の方法。
【請求項９】
ビーム（１１５）状の光子（１１２）の屈折、反射、後方散乱、及びホログラフィック画像のうちの少なくとも一つを検出して応答を形成するステップが：
ビーム（１１５）状の光子（１１２）の屈折、反射、後方散乱、及びホログラフィック画像のうちの少なくとも一つを検出して応答を形成し、屈折及び反射は、ビーム（１１５）状の光子（１１２）が液体及び空気の間の遷移部に接触したことへの応答である
ことを含む、請求項８に記載の方法。
【請求項１０】
光子（２２４）を生成する光子生成システム（２０４）と、
波面管理システム（２０２）に関連する光子生成システム（２０４）によって生成された光子（２２４）の複数の特性を制御する波面管理（２０２）システム
を含む装置。
【請求項１１】
波面管理システム（２０２）が、液体（１０４）の複数の特徴（１３４）を使用して、ビーム（２０６、２０８、２１０）状の光子（２２４）を液体（１０４）中に伝送するための複数のパラメータを特定して、複数の選択パラメータ（１３６）を形成し、複数の選択パラメータ（１３６）を使用して、ビーム（１１５）状の光子（２２４）を対象物（１２０）まで液体（１０４）中に伝送するように構成されている、請求項１０に記載の装置。
【請求項１２】
波面管理システム（２０２）が、複数の選択パラメータ（１３６）を使用して、ビーム（１１５）の経路（１１７）に沿って液体（１０４）の複数の特徴（１３４）を変化させて、前記ビーム（１１５）を経路（１１７）に沿って伝送（１１９）するように構成されている、請求項１１に記載の装置。
【請求項１３】
波面管理システム（２０２）が、複数の現在のパラメータ（１３５）から複数の選択パラメータ（１３６）に液体（１０４）中の光子（２２４）の伝送を修正するように構成されている、請求項１１に記載の装置。
【請求項１４】
波面管理システム（２０２）が、光子生成システム（２０４）によって生成された光子（２２４）の複数の特性（１３２）を変化させるように構成されている、請求項１０に記載の装置。
【請求項１５】
光子生成システム（２０４）が、レーザーシステム、変形可能なミラーシステム、及びレンズシステムのうちの少なくとも一つを含む、請求項１０に記載の装置。
【請求項１６】
波面管理システム（２０２）が、
ビーム（２０６、２０８、２１０）状の光子（２２４）の焦点を合わせるように構成されている光学システム
を（２０５）さらに含む、請求項１４に記載の装置。
【請求項１７】
ビーム（２０６、２０８、２１０）状の光子（２２４）が移動する複数の媒体（２１４）の複数の特徴を検出することができるセンサ（２１５）
をさらに含む、請求項１０ないし１２の何れか一項に記載の装置。
【請求項１８】
波面管理システム（２０２）が、ビーム（１１５）の複数の特性（１３２）を設定するように構成されている、請求項１１に記載の装置。
【請求項１９】
波面管理システム（２０２）が、ビーム状の光子（２２４）の屈折、反射、後方散乱、及びホログラフィック画像のうちの少なくとも一つを検出して応答を形成し、前記応答から液体（１０４）の複数の特徴（１３４）を特定するように構成されている、請求項１１に記載の装置。
【請求項２０】
波面管理システム（２０２）がさらに、第１媒体（２１００）の第１の複数の特徴、第２媒体（２１０２）の第２の複数の特徴、第１媒体及び第２媒体間の遷移部（２１０４）の第３の複数の特徴、及び第２媒体中の対象物（２１０６）の位置を特定し、第１の複数の特徴、第２の複数の特徴、第３の複数の特徴及び対象物の位置を使用して、第１媒体内で光子を含む光信号を生成するように構成されており、光信号が第１媒体、遷移部、及び第２媒体を通って伝播し、対象物において複数の所望の特性を有して対象物（２１０８）に到達する、請求項１０に記載の装置。
【手続補正２】
【補正対象書類名】明細書
【補正対象項目名】０１３３
【補正方法】変更
【補正の内容】
【０１３３】
当業者には、複数の修正及び変更が明らかである。さらに異なる有利な実施形態は、他の有利な実施形態と比べて、異なる利点を提供することができる。選択された一つの又は複数の実施形態は、実施形態の原理と実際の応用形態を最適に説明するために、そして当業者が特定の使用に好適なさまざまな修正が施された様々な実施形態の開示内容を理解することができるように、選択され説明された。また、本願は以下に記載する態様を含む。
（態様１）
光子の伝送を管理する方法であって：
液体（１０４）の複数の特徴を利用して、ビーム状の光子を液体中に伝送するための複数のパラメータを特定して複数の選択パラメータを形成し；
複数の選択パラメータを使用して、ビーム状の光子を対象物まで液体中に伝送して光子の伝送を形成する
ことを含む方法。
（態様２）
複数の選択パラメータを使用してビーム状の光子を対象物まで液体中に伝送するステップが：
複数の現在のパラメータから複数の選択パラメータへ光子の液体中の伝送を修正する
ことを含む、態様１に記載の方法。
（態様３）
複数の選択パラメータを使用してビーム状の光子を対象物まで液体中に伝送するステップが：
複数の選択パラメータを使用して、ビームの経路に沿って液体の複数の特徴を変化させ、
経路に沿ってビームを伝送する
ことを含む、態様１に記載の方法。
（態様４）
複数の選択パラメータを使用して、ビームの経路に沿って液体の複数の特徴を変化させるステップが：
電磁場、レーザー、無線周波電磁界、Ｘ線、気泡、導管、熱、圧力、塩分、導波管、光ファイバー、イオン化粒子、エネルギー力、有機飽和吸収体のうちの少なくとも一つから選択されたエフェクタを使用して、複数の選択パラメータを使用して、ビームの経路に沿って液体の複数の特徴を変化させる
ことを含む、態様３に記載の方法。
（態様５）
複数の選択パラメータを使用してビーム状の光子を対象物まで液体中に伝送するステップが：
ビームの複数の特性を設定する
ことをさらに含む、態様３に記載の方法。
（態様６）
ビームの複数の特性を設定するステップが：
ビームの複数の特性が、方向、焦点、電力、傾き、傾斜角度、位相、波長、振幅、開口サイズ、及び波面のうちの少なくとも一つから選択される、ビームの複数の特性を設定する
ことを含む、態様５に記載の方法。
（態様７）
初期ビーム状の初期光子を対象物まで液体中に伝送して、初期伝送を形成し；
初期伝送に応じて液体の複数の特徴を特定する
ことをさらに含む、態様１に記載の方法。
（態様８）
伝送に応じて、液体の複数の特徴を特定するステップが：
ビーム状の光子の屈折、反射、後方散乱、及びホログラフィック画像のうちの少なくとも一つを検出して応答を形成し、
前記応答から液体の複数の特徴を特定する
ことを含む、態様７に記載の方法。
（態様９）
ビーム状の光子の屈折、反射、後方散乱、及びホログラフィック画像のうちの少なくとも一つを検出して応答を形成するステップが：
ビーム状の光子の屈折、反射、後方散乱、及びホログラフィック画像のうちの少なくとも一つを検出して応答を形成し、屈折及び反射は、ビーム状の光子が液体及び空気の間の遷移部に接触したことへの応答である
ことを含む、態様８に記載の方法。
（態様１０）
光子を生成する光子生成システムと、
波面管理システムに関連する光子生成システムによって生成された光子の複数の特性を制御する波面管理システム
を含む装置。
（態様１１）
波面管理システムが、光子生成システムによって生成された光子の複数の特性を変化させるように構成されている、態様１０に記載の装置。
（態様１２）
光子生成システムが、レーザーシステム、変形可能なミラーシステム、及びレンズシステムのうちの少なくとも一つを含む、態様１０に記載の装置。
（態様１３）
波面管理システムが、
ビーム状の光子の焦点を合わせるように構成されている光学システム
をさらに含む、態様１１に記載の装置。
（態様１４）
ビーム状の光子が移動する複数の媒体の複数の特徴を検出することができるセンサ
をさらに含む、態様１０に記載の装置。
（態様１５）
波面管理システムが、液体の複数の特徴を使用して、ビーム状の光子を液体中に伝送するための複数のパラメータを特定して、複数の選択パラメータを形成し、複数の選択パラメータを使用して、ビーム状の光子を対象物まで液体中に伝送するように構成されている、態様１０に記載の装置。
（態様１６）
波面管理システムが、複数の現在のパラメータから複数の選択パラメータに液体中の光子の伝送を修正するように構成されている、態様１５に記載の装置。
（態様１７）
波面管理システムが、複数の選択パラメータを使用して、ビームの経路に沿って液体の複数の特徴を変化させて、前記ビームを経路に沿って伝送するように構成されている、態様１５に記載の装置。
（態様１８）
波面管理システムが、ビームの複数の特性を設定するように構成されている、態様１５に記載の装置。
（態様１９）
波面管理システムが、ビーム状の光子の屈折、反射、後方散乱、及びホログラフィック画像のうちの少なくとも一つを検出して応答を形成し、前記応答から液体の複数の特徴を特定するように構成されている、態様１５に記載の装置。
（態様２０）
波面管理システムがさらに、第１媒体の第１の複数の特徴、第２媒体の第２の複数の特徴、第１媒体及び第２媒体間の遷移部の第３の複数の特徴、及び第２媒体中の対象物の位置を特定し、第１の複数の特徴、第２の複数の特徴、第３の複数の特徴及び対象物の位置を使用して、第１媒体内で光子を含む光信号を生成するように構成されており、光信号が第１媒体、遷移部、及び第２媒体を通って伝播し、対象物において複数の所望の特性を有して対象物に到達する、態様１０に記載の装置。